(57)【特許請求の範囲】
【請求項１】
入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出装置であって、
前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録部と、
前記初期値X1に対応する、前記近似一次関数の前記傾き相当値である第一傾き相当値を前記傾き相当値記録部から読み出す第一傾き相当値読出部と、
傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出部と、
前記中間値X2に対応する、前記近似一次関数の前記傾き相当値である第二傾き相当値を前記傾き相当値記録部から読み出す第二傾き相当値読出部と、
前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出部と、
を備えた修正値導出装置。
【請求項２】
請求項１に記載の修正値導出装置であって、
前記傾き相当値は、前記近似一次関数の傾き、または前記近似一次関数の傾きの逆数である、
修正値導出装置。
【請求項３】
請求項１または２に記載の修正値導出装置であって、
前記修正近似関数が、前記第一傾き相当値および前記第二傾き相当値に基づき導出された修正傾きを有する一次関数である、
修正値導出装置。
【請求項４】
請求項３に記載の修正値導出装置であって、
前記修正傾きが、前記第一傾き相当値に相当する傾きおよび前記第二傾き相当値に相当する傾きの平均値である、
修正値導出装置。
【請求項５】
請求項３に記載の修正値導出装置であって、
前記修正傾きが、前記第一傾き相当値に相当する傾きの逆数および前記第二傾き相当値に相当する傾きの逆数の平均値の逆数である、
修正値導出装置。
【請求項６】
請求項１または２に記載の修正値導出装置であって、
前記修正近似関数が、二次関数であり、
前記制御信号の値Xが前記初期値X1であるときの値が前記初期電力P1であり、
前記制御信号の値Xが前記初期値X1であるときの微分係数が前記第一傾き相当値に相当する傾きであり、
前記制御信号の値Xが前記中間値X2であるときの微分係数が前記第二傾き相当値に相当する傾きである、
修正値導出装置。
【請求項７】
請求項３に記載の修正値導出装置であって、
前記第一傾き相当値に相当する傾きを傾き１とし、
前記第二傾き相当値に相当する傾きを傾き２とし、
第ｎ傾き相当値に相当する傾きを傾きｎとし（ただし、ｎは３以上の任意の整数）、
Ｎを３以上の整数の定数とし、
傾き１から傾きｎ−１までの傾きの平均値を仮傾きｎとしたときに、
傾きが前記仮傾きｎであり、前記制御信号の値Xが前記初期値X1であるときの値が前記初期電力P1である前記近似一次関数が前記目標電力P0をとるときの前記制御信号の値である追加中間値Xnを導出する追加中間値導出部と、
前記追加中間値Xnに対応する、前記近似一次関数の前記傾き相当値である第ｎ傾き相当値を前記傾き相当値記録部から読み出す追加傾き相当値読出部と、
を備え、
前記修正傾きが、傾き１から傾きＮまでの傾きに基づき導出される、
修正値導出装置。
【請求項８】
請求項７に記載の修正値導出装置であって、
前記修正傾きが、傾き１から傾きＮまでの傾きの平均値である、
修正値導出装置。
【請求項９】
請求項７に記載の修正値導出装置であって、
前記修正傾きが、傾き１から傾きＮまでの傾きのうちの任意の二個以上のものの平均値である、
修正値導出装置。
【請求項１０】
請求項３に記載の修正値導出装置であって、
前記第一傾き相当値に相当する傾きを傾き１とし、
前記第二傾き相当値に相当する傾きを傾き２とし、
第ｎ傾き相当値に相当する傾きを傾きｎとし（ただし、ｎは３以上の任意の整数）、
Ｎを３以上の整数の定数とし、
仮傾き３を傾き１と傾き２との平均値とし、
仮傾きｍ−１と傾きｍ−１との平均値を仮傾きｍとしたときに（ただし、ｍは４以上の任意の整数）、
傾きが前記仮傾きｎであり、前記制御信号の値Xが前記初期値X1であるときの値が前記初期電力P1である前記近似一次関数が前記目標電力P0をとるときの前記制御信号の値である追加中間値Xnを導出する追加中間値導出部と、
前記追加中間値Xnに対応する、前記近似一次関数の前記傾き相当値である第ｎ傾き相当値を前記傾き相当値記録部から読み出す追加傾き相当値読出部と、
を備え、
前記修正傾きが、仮傾きＮと傾きＮとに基づき導出される、
修正値導出装置。
【請求項１１】
請求項１０に記載の修正値導出装置であって、
前記修正傾きが、仮傾きＮと傾きＮとの平均値である、
修正値導出装置。
【請求項１２】
請求項１ないし１１のいずれか一項に記載の修正値導出装置であって、
前記制御信号の値Xは電圧である、
修正値導出装置。
【請求項１３】
入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出方法であって、
前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録工程と、
前記初期値X1に対応する、前記近似一次関数の前記傾き相当値である第一傾き相当値を前記傾き相当値記録工程の記録内容から読み出す第一傾き相当値読出工程と、
傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出工程と、
前記中間値X2に対応する、前記近似一次関数の前記傾き相当値である第二傾き相当値を前記傾き相当値記録工程の記録内容から読み出す第二傾き相当値読出工程と、
前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出工程と、
を備えた修正値導出方法。
【請求項１４】
入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出処理をコンピュータに実行させるためのプログラムであって、
前記修正値導出処理は、
前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録工程と、
前記初期値X1に対応する、前記近似一次関数の前記傾き相当値である第一傾き相当値を前記傾き相当値記録工程の記録内容から読み出す第一傾き相当値読出工程と、
傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出工程と、
前記中間値X2に対応する、前記近似一次関数の前記傾き相当値である第二傾き相当値を前記傾き相当値記録工程の記録内容から読み出す第二傾き相当値読出工程と、
前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出工程と、
を備えたプログラム。
【請求項１５】
入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出処理をコンピュータに実行させるためのプログラムを記録したコンピュータによって読み取り可能な記録媒体であって、
前記修正値導出処理は、
前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録工程と、
前記初期値X1に対応する、前記近似一次関数の前記傾き相当値である第一傾き相当値を前記傾き相当値記録工程の記録内容から読み出す第一傾き相当値読出工程と、
傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出工程と、
前記中間値X2に対応する、前記近似一次関数の前記傾き相当値である第二傾き相当値を前記傾き相当値記録工程の記録内容から読み出す第二傾き相当値読出工程と、
前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出工程と、
を備えた記録媒体。
【発明の詳細な説明】
【技術分野】
【０００１】
本発明は、信号のパワーの調整に関する。
【背景技術】
【０００２】
従来より、信号を可変ゲインアンプにより増幅して出力する装置であって、出力をピーク検波したものを、デジタル回路を用いて処理し（例えば、特許文献１の図１、要約を参照）、処理結果に基づき、可変ゲインアンプのゲインを制御することにより、可変ゲインアンプの出力のパワーを制御する装置が知られている。
【０００３】
【特許文献１】特開平１１−１５４８３９号公報
【発明の開示】
【発明が解決しようとする課題】
【０００４】
ここで、可変ゲインアンプに与える電圧の変化に比例して、可変ゲインアンプの出力のパワーが変化するものと仮定して、可変ゲインアンプの出力のパワーを制御したとする。
【０００５】
しかしながら、可変ゲインアンプの出力のパワーの変化は、必ずしも、可変ゲインアンプに与える電圧の変化に比例しない。よって、上記の仮定に基づき、可変ゲインアンプの出力のパワーを制御しようとしても、必ずしもうまくいかない。
【０００６】
このようなことは、アンプに限らず、アッテネータ（減衰器）でも同様に生ずる。
【０００７】
そこで、本発明は、入力の振幅を変化させて出力する器具の出力のパワーを、所望の値に近くなるように制御することを課題とする。
【課題を解決するための手段】
【０００８】
本発明にかかる修正値導出装置は、入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出装置であって、前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録部と、前記初期値X1に対応する、前記近似一次関数の前記傾き相当値である第一傾き相当値を前記傾き相当値記録部から読み出す第一傾き相当値読出部と、傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出部と、前記中間値X2に対応する、前記近似一次関数の前記傾き相当値である第二傾き相当値を前記傾き相当値記録部から読み出す第二傾き相当値読出部と、前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出部と、を備えた修正値導出装置である。
【０００９】
本発明にかかる修正値導出装置は、入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する。
【００１０】
傾き相当値記録部が、前記制御信号の値Xを変数とした一次関数である近似一次関数で前記出力信号の電力Pを表したときの、前記近似一次関数の傾きに相当する傾き相当値を前記制御信号の値Xに対応づけて記録する。第一傾き相当値読出部が、前記初期値X1に対応する、前記近似一次関数の前記傾き相当値である第一傾き相当値を前記傾き相当値記録部から読み出す。中間値導出部が、傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する。第二傾き相当値読出部が、前記中間値X2に対応する、前記近似一次関数の前記傾き相当値である第二傾き相当値を前記傾き相当値記録部から読み出す。修正値導出部が、前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する。
【００１１】
なお、本発明にかかる修正値導出装置は、前記傾き相当値は、前記近似一次関数の傾き、または前記近似一次関数の傾きの逆数である。
【００１２】
なお、本発明にかかる修正値導出装置は、前記修正近似関数が、前記第一傾き相当値および前記第二傾き相当値に基づき導出された修正傾きを有する一次関数であるようにしてもよい。
【００１３】
なお、本発明にかかる修正値導出装置は、前記修正傾きが、前記第一傾き相当値に相当する傾きおよび前記第二傾き相当値に相当する傾きの平均値であるようにしてもよい。
【００１４】
なお、本発明にかかる修正値導出装置は、前記修正傾きが、前記第一傾き相当値に相当する傾きの逆数および前記第二傾き相当値に相当する傾きの逆数の平均値の逆数であるようにしてもよい。
【００１５】
なお、本発明にかかる修正値導出装置は、前記修正近似関数が、二次関数であり、前記制御信号の値Xが前記初期値X1であるときの値が前記初期電力P1であり、前記制御信号の値Xが前記初期値X1であるときの微分係数が前記第一傾き相当値に相当する傾きであり、前記制御信号の値Xが前記中間値X2であるときの微分係数が前記第二傾き相当値に相当する傾きであるようにしてもよい。
【００１６】
なお、本発明にかかる修正値導出装置は、前記第一傾き相当値に相当する傾きを傾き１とし、前記第二傾き相当値に相当する傾きを傾き２とし、第ｎ傾き相当値に相当する傾きを傾きｎとし（ただし、ｎは３以上の任意の整数）、Ｎを３以上の整数の定数とし、傾き１から傾きｎ−１までの傾きの平均値を仮傾きｎとしたときに、傾きが前記仮傾きｎであり、前記制御信号の値Xが前記初期値X1であるときの値が前記初期電力P1である前記近似一次関数が前記目標電力P0をとるときの前記制御信号の値である追加中間値Xnを導出する追加中間値導出部と、前記追加中間値Xnに対応する、前記近似一次関数の前記傾き相当値である第ｎ傾き相当値を前記傾き相当値記録部から読み出す追加傾き相当値読出部と、を備え、前記修正傾きが、傾き１から傾きＮまでの傾きに基づき導出されるようにしてもよい。
【００１７】
なお、本発明にかかる修正値導出装置は、前記修正傾きが、傾き１から傾きＮまでの傾きの平均値であるようにしてもよい。
【００１８】
なお、本発明にかかる修正値導出装置は、前記修正傾きが、傾き１から傾きＮまでの傾きのうちの任意の二個以上のものの平均値であるようにしてもよい。
【００１９】
なお、本発明にかかる修正値導出装置は、前記第一傾き相当値に相当する傾きを傾き１とし、前記第二傾き相当値に相当する傾きを傾き２とし、第ｎ傾き相当値に相当する傾きを傾きｎとし（ただし、ｎは３以上の任意の整数）、Ｎを３以上の整数の定数とし、仮傾き３を傾き１と傾き２との平均値とし、仮傾きｍ−１と傾きｍ−１との平均値を仮傾きｍとしたときに（ただし、ｍは４以上の任意の整数）、傾きが前記仮傾きｎであり、前記制御信号の値Xが前記初期値X1であるときの値が前記初期電力P1である前記近似一次関数が前記目標電力P0をとるときの前記制御信号の値である追加中間値Xnを導出する追加中間値導出部と、前記追加中間値Xnに対応する、前記近似一次関数の前記傾き相当値である第ｎ傾き相当値を前記傾き相当値記録部から読み出す追加傾き相当値読出部と、を備え、前記修正傾きが、仮傾きＮと傾きＮとに基づき導出されるようにしてもよい。
【００２０】
なお、本発明にかかる修正値導出装置は、前記修正傾きが、仮傾きＮと傾きＮとの平均値であるようにしてもよい。
【００２１】
なお、本発明にかかる修正値導出装置は、前記制御信号の値Xは電圧であるようにしてもよい。
【００２２】
本発明は、入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出方法であって、前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録工程と、前記初期値X1に対応する、前記近似一次関数の前記傾き相当値である第一傾き相当値を前記傾き相当値記録工程の記録内容から読み出す第一傾き相当値読出工程と、傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出工程と、前記中間値X2に対応する、前記近似一次関数の前記傾き相当値である第二傾き相当値を前記傾き相当値記録工程の記録内容から読み出す第二傾き相当値読出工程と、前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出工程とを備えた修正値導出方法である。
【００２３】
本発明は、入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出処理をコンピュータに実行させるためのプログラムであって、前記修正値導出処理は、前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録工程と、前記初期値X1に対応する、前記近似一次関数の前記傾き相当値である第一傾き相当値を前記傾き相当値記録工程の記録内容から読み出す第一傾き相当値読出工程と、傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出工程と、前記中間値X2に対応する、前記近似一次関数の前記傾き相当値である第二傾き相当値を前記傾き相当値記録工程の記録内容から読み出す第二傾き相当値読出工程と、前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出工程と、を備えたプログラムである。
【００２４】
本発明は、入力信号の振幅を変化させて出力信号を出力し、制御信号の値Xに基づき前記振幅の変化率が制御される振幅変化器に、初期値X1をとる前記制御信号を与えたときの前記出力信号の電力である初期電力P1よりも、前記出力信号の電力を目標電力P0に近づけるような前記制御信号の値である修正値Xfを導出する修正値導出処理をコンピュータに実行させるためのプログラムを記録したコンピュータによって読み取り可能な記録媒体であって、前記修正値導出処理は、前記制御信号の値Xを変数とした一次関数である近似一次関数で前記出力信号の電力Pを表したときの、前記近似一次関数の傾きに相当する傾き相当値を前記制御信号の値Xに対応づけて記録した傾き相当値記録工程と、前記初期値X1に対応する、前記近似一次関数の前記傾き相当値である第一傾き相当値を前記傾き相当値記録工程の記録内容から読み出す第一傾き相当値読出工程と、傾きが前記第一傾き相当値に相当する値であり、前記制御信号の値Xが前記初期値X1であるときの値が前記初期電力P1である前記近似一次関数が前記目標電力P0をとるときの前記制御信号の値である中間値X2を導出する中間値導出工程と、前記中間値X2に対応する、前記近似一次関数の前記傾き相当値である第二傾き相当値を前記傾き相当値記録工程の記録内容から読み出す第二傾き相当値読出工程と、前記第一傾き相当値、前記第二傾き相当値、前記初期値X1および前記初期電力P1に基づき定義される、前記制御信号の値Xを変数として前記出力信号の電力Pを表す修正近似関数が、前記目標電力P0をとるときの前記制御信号の値を前記修正値Xfとして導出する修正値導出工程とを備えた記録媒体である。
【発明を実施するための最良の形態】
【００２５】
以下、本発明の実施形態を図面を参照しながら説明する。
【００２６】
図１は、本発明の実施形態にかかる出力制御システム１の構成を示すブロック図である。出力制御システム１は、可変ゲイン減衰器（振幅変化器）２、Ａ／Ｄ変換器４、Ｄ／Ａ変換器６、目標電力入力部１０、スイッチ１１、初期値記録部２１、初期電圧設定部２２、修正値導出装置３０、電力測定部４２を備える。
【００２７】
可変ゲイン減衰器（振幅変化器）２は、アナログの入力信号（例えば、交流電圧）を受け、その振幅を変化させてアナログの出力信号を出力する。なお、可変ゲイン減衰器２の振幅の変化率（＝出力信号の振幅／入力信号の振幅）は、可変ゲイン減衰器２に与えられる制御信号の値X（電圧）に基づき、制御される。なお、可変ゲイン減衰器２は減衰器なので、変化率＜１である。
【００２８】
なお、本発明の実施形態においては、可変ゲイン減衰器２を使用しているが、可変ゲイン増幅器（変化率＞１）を使用してもよい。
【００２９】
Ａ／Ｄ変換器４は、可変ゲイン減衰器２から出力信号を受け、デジタル化して、電力測定部４２に与える。
【００３０】
Ｄ／Ａ変換器６は、スイッチ１１から制御信号を受け、デジタル化して、可変ゲイン減衰器２に与える。
【００３１】
目標電力入力部１０は、出力信号の電力の目標値である目標電力P0を入力するためのものである。
【００３２】
スイッチ１１は、（ａ）初期電圧設定部２２の出力を、Ｄ／Ａ変換器６に与える状態（図４参照）、または、（ｂ）修正値導出装置３０の出力を、Ｄ／Ａ変換器６に与える状態（図５参照）を実現する。
【００３３】
初期値記録部２１は、目標電力P0に対応づけて、制御信号の値X（電圧）を記録する。
【００３４】
初期電圧設定部２２は、目標電力入力部１０から目標電力P0を受け、目標電力P0に対応する制御信号の値X（電圧）を初期値記録部２１から読み出して出力する。この出力が、初期値X1である。
【００３５】
図２は、可変ゲイン減衰器２に所定の電力の入力信号を与えたときの電力特性Fを示すグラフである。
【００３６】
電力特性Fは、制御信号の値X（電圧）を横軸に、出力信号の電力Pを縦軸にとったものである。初期値X1をとる制御信号を可変ゲイン減衰器２に与えたときの出力信号の電力P1（初期電力という）は目標電力P0と一致することが、理想的である。しかし、初期電力P1は目標電力P0と、必ずしも一致しない。
【００３７】
そこで、制御信号の値を修正値Xfに修正し、出力信号の電力を、初期電力P1よりも目標電力P0に近づけるようにする。
【００３８】
修正値導出装置３０は、修正値Xfを導出するものであり、傾き相当値記録部３１、修正電圧設定部３２を備える。
【００３９】
傾き相当値記録部３１は、制御信号の値Xを変数とした一次関数である近似一次関数で出力信号の電力Pを表したときの、近似一次関数の傾きに相当する傾き相当値を制御信号の値Xに対応づけて記録する。
【００４０】
傾き相当値は、例えば、近似一次関数の傾き、または近似一次関数の傾きの逆数である。近似一次関数の傾きは、例えば、電力特性Fの接線の傾きと考えることができる。図２を参照して、座標(X1, P1)においては、近似一次関数f1で、出力信号の電力Pを表す。よって、傾き相当値記録部３１には、初期値X1に対応づけて、近似一次関数f1の傾き（傾き１という）に相当する傾き相当値が記録されている。
【００４１】
修正電圧設定部３２の出力が修正値導出装置３０の出力となって、スイッチ１１に与えられる。修正電圧設定部３２の構成は後述する。
【００４２】
電力測定部４２は、Ａ／Ｄ変換器４からデジタル化された出力信号を受け、電力を測定し、修正値導出装置３０の修正電圧設定部３２に与える。
【００４３】
修正電圧設定部３２の構成が、各実施形態において異なる。
【００４４】
第一の実施形態
図３は、第一の実施形態にかかる修正電圧設定部３２の構成を示すブロック図である。修正電圧設定部３２は、第一傾き相当値読出部３２ａ、第一中間電圧導出部（中間値導出部）３２ｂ、第二傾き相当値読出部３２ｃ、修正傾き導出部３２ｄ１、修正電圧導出部（修正値導出部）３２ｅ１を備える。
【００４５】
傾き相当値記録部３１には、例えば、近似一次関数の傾きが記録されているものとする。
【００４６】
第一傾き相当値読出部３２ａは、初期値X1を初期電圧設定部２２から受ける。さらに、第一傾き相当値読出部３２ａは、初期値X1に対応する、近似一次関数f1の傾き（傾き１）に相当する傾き相当値である第一傾き相当値を傾き相当値記録部３１から読み出す。例えば、第一傾き相当値読出部３２ａは、傾き１を、傾き相当値記録部３１から読み出す。
【００４７】
第一中間電圧導出部（中間値導出部）３２ｂは、傾き１を第一傾き相当値読出部３２ａから受け、目標電力P0を目標電力入力部１０から受け、初期電力P1を電力測定部４２から受け、初期値X1を初期電圧設定部２２から受ける。
【００４８】
さらに、第一中間電圧導出部（中間値導出部）３２ｂは、傾きが第一傾き相当値に相当する値であり、制御信号の値Xが初期値X1であるときの値が初期電力P1である近似一次関数が目標電力P0をとるときの制御信号の値である中間値X2を導出する。
【００４９】
すなわち、第一中間電圧導出部３２ｂは、近似一次関数f1（傾きが、傾き１であり、座標(X1,
P1)を通る）が、目標電力P0をとるときの制御信号の値（中間値X2）を導出する（図２参照）。
【００５０】
中間値X2は、以下の式（１）を用いて、導出することができる。
【００５１】
X2 = X1+(P0−P1)／傾き１    （１）
第二傾き相当値読出部３２ｃは、中間値X2を第一中間電圧導出部３２ｂから受ける。さらに、第二傾き相当値読出部３２ｃは、中間値X2に対応する、近似一次関数の傾き相当値である第二傾き相当値を傾き相当値記録部３１から読み出す。
【００５２】
図２を参照して、中間値X2をとる制御信号を可変ゲイン減衰器２に与えたときの出力信号の電力はP2である。座標(X2, P2)においては、近似一次関数f2（座標(X2, P2)を通る）で、出力信号の電力Pを表す。よって、傾き相当値記録部３１には、中間値X2に対応づけて、近似一次関数f2の傾き（傾き２という）に相当する傾き相当値が記録されている。
【００５３】
そこで、例えば、第二傾き相当値読出部３２ｃは、傾き２を、傾き相当値記録部３１から読み出す。
【００５４】
さらに、図２を参照して、制御信号の値Xを変数として出力信号の電力Pを表す修正近似関数fを考える。ここで、修正近似関数fは、第一傾き相当値（例えば、傾き１）および第二傾き相当値（例えば、傾き２）に基づき導出された修正傾きを有する一次関数であるものとする。例えば、修正傾きが、第一傾き相当値に相当する傾き１および第二傾き相当値に相当する傾き２の平均値であるものとする。すなわち、修正傾きは、以下の式（２）を用いて、導出することができる。
【００５５】
修正傾き＝（傾き１＋傾き２）／２    （２）
さらに、修正近似関数fは、座標(X1, P1)を通るものとする。
【００５６】
すると、修正近似関数P = f(X)は、第一傾き相当値（例えば、傾き１）、第二傾き相当値（例えば、傾き２）、初期値X1および初期電力P1に基づき、以下の式（３）のように定義される。
【００５７】
P = f(X) = （修正傾き）×X−（修正傾き）×X1＋P1    （３）
修正傾き導出部３２ｄ１は、傾き１を第一傾き相当値読出部３２ａから受け、傾き２を第二傾き相当値読出部３２ｃから受ける。さらに、修正傾き導出部３２ｄ１は、上記の式（２）に基づき、修正傾きを導出する。
【００５８】
修正電圧導出部（修正値導出部）３２ｅ１は、修正近似関数fが目標電力P0をとるときの制御信号の値を修正値Xfとして導出する。式（３）のPに目標電力P0を代入したときの、Xの値が修正値Xfである。よって、修正値Xfは、以下の式（４）を用いて、導出することができる。
【００５９】
Xf = X1+(P0−P1)／（修正傾き）    （４）
なお、図２を参照して、修正値Xfの制御信号を可変ゲイン減衰器２に与えたときの出力信号の電力はPfである。電力Pfは、初期電力P1よりも目標電力P0に近づいている。
【００６０】
次に、第一の実施形態の動作を説明する。
【００６１】
図４は、初期値X1をとる制御信号を可変ゲイン減衰器２に与えたときの出力制御システム１の動作を説明するための図である。
【００６２】
まず、目標電力入力部１０から、出力信号の電力の目標値である目標電力P0が初期電圧設定部２２に与えられる。初期電圧設定部２２は、目標電力P0に対応する初期値X1を読み出して、初期値X1の電圧を有する制御信号を出力する。初期電圧設定部２２の出力する制御信号は、スイッチ１１を介して、Ｄ／Ａ変換器６に与えられる。Ｄ／Ａ変換器６は、制御信号をデジタル化して、可変ゲイン減衰器２に与える。制御信号（初期値X1）が可変ゲイン減衰器２に与えられると、図２を参照して、可変ゲイン減衰器２の出力する出力信号の電力は初期電力P1となる。
【００６３】
図５は、修正値Xfの導出時の出力制御システム１の動作を説明するための図である。
【００６４】
可変ゲイン減衰器２の出力する出力信号の電力は初期電力P1となる。電力測定部４２は、Ａ／Ｄ変換器４からデジタル化された出力信号を受け、電力を測定し、初期電力P1を得る。測定結果（初期電力P1）は、修正値導出装置３０の修正電圧設定部３２に与えられる。
【００６５】
しかも、初期電圧設定部２２からは初期値X1が、目標電力入力部１０からは目標電力P0が、修正電圧設定部３２に与えられる。
【００６６】
初期値X1に基づき、第一傾き相当値読出部３２ａが傾き１を読み出し、第一中間電圧導出部３２ｂに与える。第一中間電圧導出部３２ｂが、目標電力P0、初期電力P1、傾き１、初期値X1に基づき、中間値X2を導出する（式（１）参照）。
【００６７】
中間値X2に基づき、第二傾き相当値読出部３２ｃが傾き２を読み出す。
【００６８】
修正傾き導出部３２ｄ１が、傾き１および傾き２の平均をとり（式（２）参照）、修正傾きを求める。
【００６９】
修正電圧導出部３２ｅ１が、目標電力P0、初期電力P1、修正傾き、初期値X1に基づき、修正値Xfを導出する（式（４）参照）。
【００７０】
電力Pfは、初期電力P1よりも目標電力P0に近づいている。
【００７１】
第一の実施形態によれば、可変ゲイン減衰器（振幅変化器）２の出力のパワーを、初期電力P1よりも、目標電力P0に近くなるように制御することができる。
【００７２】
しかも、電力Pfは、電力P2よりも目標電力P0に近い。これは、単に、近似一次関数f1を用いる場合よりも、出力の電力を、目標電力P0に近づけることができるということを意味している。
【００７３】
第二の実施形態
第二の実施形態は、傾き相当値記録部３１に近似一次関数の傾きの逆数が記録されている場合に適した実施形態である。
【００７４】
傾き相当値記録部３１には、例えば、近似一次関数の傾きの逆数が記録されている。
【００７５】
図６は、第二の実施形態にかかる修正電圧設定部３２の構成を示すブロック図である。修正電圧設定部３２は、第一傾き相当値読出部３２ａ、第一中間電圧導出部（中間値導出部）３２ｂ、第二傾き相当値読出部３２ｃ、修正傾き導出部３２ｄ２、修正電圧導出部（修正値導出部）３２ｅ２を備える。
【００７６】
第一傾き相当値読出部３２ａ、第一中間電圧導出部（中間値導出部）３２ｂ、第二傾き相当値読出部３２ｃは第一の実施形態と同様であり、説明を省略する。
【００７７】
ただし、第一傾き相当値読出部３２ａおよび第二傾き相当値読出部３２ｃは、それぞれ、近似一次関数f1、f2の傾き（傾き１、傾き２）の逆数（１／傾き１、１／傾き２）を読み出す。
【００７８】
なお、修正近似関数fも第一の実施形態と同様である。ただし、修正傾きが第一の実施形態とは異なる。
【００７９】
修正傾き導出部３２ｄ２は、第一傾き相当値に相当する傾きの逆数（１／傾き１）および第二傾き相当値に相当する傾きの逆数（１／傾き２）の平均値の逆数を、修正傾きとして導出する。すなわち、修正傾き導出部３２ｄ２は、修正傾きを、以下の式（５）のようにして導出する。
【００８０】
修正傾き＝１／（（１／傾き１＋１／傾き２）／２）    （５）
ただし、修正傾き導出部３２ｄ２は、１／（修正傾き）を出力するようにしてもよい。
【００８１】
修正電圧導出部（修正値導出部）３２ｅ２は、第一の実施形態と同様である。ただし、修正傾き、または、１／（修正傾き）を、修正傾き導出部３２ｄ２から受ける。
【００８２】
修正電圧導出部３２ｅ２は、修正値Xfを、上記の式（４）を用いて、導出することができる。
【００８３】
第二の実施形態の動作は、第一の実施形態とほぼ同様である。
【００８４】
ただし、第一傾き相当値読出部３２ａおよび第二傾き相当値読出部３２ｃは、それぞれ、近似一次関数f1、f2の傾き（傾き１、傾き２）の逆数（１／傾き１、１／傾き２）を読み出す。修正傾き導出部３２ｄ２は、修正傾き（または、１／（修正傾き））を上記の式（５）を用いて、導出する。修正電圧導出部３２ｅ２は、修正傾き、または、１／（修正傾き）を、修正傾き導出部３２ｄ２から受ける。
【００８５】
第二の実施形態によれば、第一の実施形態と同様な効果を奏する。しかも、傾き相当値記録部３１には、近似一次関数の傾きの逆数が記録されていても、それを、第一傾き相当値読出部３２ａおよび第二傾き相当値読出部３２ｃにおいて、近似一次関数の傾きになおさなくてもよいので、演算の労力の軽減を図ることができる。
【００８６】
第三の実施形態
第三の実施形態は、修正近似関数fを二次関数としたものである。
【００８７】
傾き相当値記録部３１には、例えば、近似一次関数の傾きが記録されているものとする。
【００８８】
図７は、第三の実施形態にかかる修正電圧設定部３２の構成を示すブロック図である。修正電圧設定部３２は、第一傾き相当値読出部３２ａ、第一中間電圧導出部（中間値導出部）３２ｂ、第二傾き相当値読出部３２ｃ、修正近似関数導出部３２ｔ、修正電圧導出部（修正値導出部）３２ｅ３を備える。
【００８９】
第一傾き相当値読出部３２ａ、第一中間電圧導出部（中間値導出部）３２ｂ、第二傾き相当値読出部３２ｃは第一の実施形態と同様であり説明を省略する。
【００９０】
修正近似関数導出部３２ｔは、二次関数である修正近似関数fを、第一傾き相当値（例えば、傾き１）、第二傾き相当値（例えば、傾き２）、中間値X2、初期値X1および初期電力P1に基づき導出する。なお、修正近似関数導出部３２ｔは、第一傾き相当値を第一傾き相当値読出部３２ａから受け、第二傾き相当値を第二傾き相当値読出部３２ｃから受け、中間値X2を第一中間電圧導出部３２ｂから受け、初期電力P1を電力測定部４２から受け、初期値X1を初期電圧設定部２２から受ける。
【００９１】
図８は、二次関数である修正近似関数fを示すグラフである。ただし、図８において、電力特性Fは図示省略する。
【００９２】
修正近似関数fは以下の条件を満たす二次関数(P = f(X) = aX2+bX+c)である。
【００９３】
まず、制御信号の値Xが初期値X1であるときの値が初期電力P1である。すなわち、修正近似関数fは座標(X1, P1)を通る。
【００９４】
さらに、制御信号の値Xが初期値X1であるときの微分係数が第一傾き相当値に相当する傾き（傾き１）である。f(X)の微分係数は、2aX+bである。よって、2aX1+bが、傾き１に等しいということを意味する。
【００９５】
しかも、制御信号の値Xが中間値X2であるときの微分係数が第二傾き相当値に相当する傾き（傾き２）である。すなわち、2aX2+bが、傾き２に等しいということを意味する。
【００９６】
2aX1+b = 傾き１    （６）
2aX2+b = 傾き２    （７）
上記の式（６）、（７）から、aおよびbを求めることができる（X1、X2、傾き１、傾き２は既知である）。しかも、aX12+bX1+c = P1である。P1、X1、a、bは既知であるので、cを求めることができる。
【００９７】
修正電圧導出部（修正値導出部）３２ｅ３は、修正近似関数fが目標電力P0をとるときの制御信号の値を修正値Xfとして導出する。すなわち、下記の式（８）を満たす、修正値Xfを導出する。
【００９８】
P0 = f(Xf) = aXf2+bXf+c    （８）
ただし、式（８）を満たす修正値Xfは、二つあることが多い。この場合は、二つあるうちの小さい方を、修正値Xfとするといったことを決めておく。
【００９９】
第三の実施形態の動作は、第一の実施形態とほぼ同様である。
【０１００】
ただし、修正近似関数導出部３２ｔは、第一傾き相当値を第一傾き相当値読出部３２ａから受け、第二傾き相当値を第二傾き相当値読出部３２ｃから受け、中間値X2を第一中間電圧導出部３２ｂから受け、初期電力P1を電力測定部４２から受け、初期値X1を初期電圧設定部２２から受ける。さらに、修正近似関数導出部３２ｔは、二次関数である修正近似関数f（図８参照）を導出する。
【０１０１】
修正電圧導出部（修正値導出部）３２ｅ３は、修正近似関数fが目標電力P0をとるときの制御信号の値を修正値Xfとして導出する（式８参照）。
【０１０２】
第三の実施形態によれば、第一の実施形態と同様な効果を奏する。
【０１０３】
第四の実施形態
第四の実施形態は、第一の実施形態に、平均部３２ｆ、第二中間電圧導出部（追加中間値導出部）３２ｇ、第三傾き相当値読出部（追加傾き相当値読出部）３２ｈが追加されたものである。
【０１０４】
図９は、第四の実施形態にかかる修正電圧設定部３２の構成を示すブロック図である。修正電圧設定部３２は、第一傾き相当値読出部３２ａ、第一中間電圧導出部（中間値導出部）３２ｂ、第二傾き相当値読出部３２ｃ、修正傾き導出部３２ｄ４、修正電圧導出部（修正値導出部）３２ｅ４、平均部３２ｆ、第二中間電圧導出部（追加中間値導出部）３２ｇ、第三傾き相当値読出部（追加傾き相当値読出部）３２ｈを備える。
【０１０５】
傾き相当値記録部３１には、例えば、近似一次関数の傾きが記録されているものとする。
【０１０６】
第一傾き相当値読出部３２ａ、第一中間電圧導出部（中間値導出部）３２ｂ、第二傾き相当値読出部３２ｃは第一の実施形態と同様であり説明を省略する。
【０１０７】
図１０は、第四の実施形態において用いる修正近似関数fを示すグラフである。図１０を参照して、修正近似関数fは一次関数であり、その傾きは修正傾きである。
【０１０８】
第一の実施形態と同様に、傾き１は、第一傾き相当値に相当する傾きであり、傾き２は、第二傾き相当値に相当する傾きである。
【０１０９】
ここで、第ｎ傾き相当値に相当する傾きを傾きｎとする（ただし、ｎは３以上の任意の整数）。さらに、傾き１から傾きｎ−１までの傾きの平均値を仮傾きｎとする。例えば、仮傾き３は、傾き１から傾き２までの傾きの平均、すなわち傾き１と傾き２の平均である。仮傾き４は、傾き１から傾き３までの傾きの平均、すなわち傾き１と傾き２と傾き３の平均である。
【０１１０】
ここで、傾きが仮傾きｎであり、制御信号の値Xが初期値X1であるときの値が初期電力P1である近似一次関数が目標電力P0をとるときの制御信号の値を、追加中間値Xnとする。例えば、傾きが仮傾き３であり、座標(X1, P1)を通る近似一次関数が、目標電力P0となるX座標が、追加中間値X3である。傾きが仮傾き４であり、座標(X1, P1)を通る近似一次関数が、目標電力P0となるX座標が、追加中間値X4である。
【０１１１】
さらに、追加中間値Xnに対応する、近似一次関数の傾き相当値を、第ｎ傾き相当値という。例えば、追加中間値X3に対応する、近似一次関数の傾き相当値を、第三傾き相当値という。追加中間値X4に対応する、近似一次関数の傾き相当値を、第四傾き相当値という。
【０１１２】
第四の実施形態において用いる修正近似関数fの修正傾きは、傾き１から傾きＮまでの傾きに基づき導出される（ただし、Ｎは３以上の整数の定数）。修正傾きは、例えば、傾き１から傾きＮまでの傾きの平均値である。Ｎが３であれば、傾き１から傾き３までの傾きの平均値、すなわち傾き１と傾き２と傾き３の平均値である。Ｎが４であれば、傾き１から傾き４までの傾きの平均値、すなわち傾き１と傾き２と傾き３と傾き４の平均値である。
【０１１３】
ただし、修正傾きは、例えば、傾き１から傾きＮまでの傾きのうちの任意の二個以上のものの平均値でもよい。例えば、Ｎが４であれば、傾き１から傾き４までうちの任意の傾き（例えば、傾き２、傾き３、傾き４）の平均値、すなわち傾き２と傾き３と傾き４の平均値でもよい。
【０１１４】
図１０においては、修正傾きが、傾き１と傾き２と傾き３の平均値であるときの、修正近似関数fが図示されている。
【０１１５】
図９には、傾き１、傾き２および傾き３を用いて修正値Xfを導出する場合の修正電圧設定部３２の構成が図示されている。
【０１１６】
平均部３２ｆは、傾き１を第一傾き相当値読出部３２ａから受け、傾き２を第二傾き相当値読出部３２ｃから受け、傾き１と傾き２との平均をとる。上述のように、傾き１と傾き２との平均は、仮傾き３である。
【０１１７】
第二中間電圧導出部（追加中間値導出部）３２ｇは、傾きが仮傾きｎであり、制御信号の値Xが初期値X1であるときの値が初期電力P1である近似一次関数が目標電力P0をとるときの制御信号の値である追加中間値Xnを導出する。ただし、図９においては、ｎ＝３とする。よって、第二中間電圧導出部３２ｇは、傾きが仮傾き３で、座標(X1, P1)を通る近似一次関数が、目標電力P0をとるときの制御信号の値である追加中間値X3を導出する。なお、第二中間電圧導出部３２ｇは、仮傾き３を平均部３２ｆから受け、目標電力P0を目標電力入力部１０から受け、初期電力P1を電力測定部４２から受け、初期値X1を初期電圧設定部２２から受ける。
【０１１８】
追加中間値Xnは、以下の式（９）を用いて、導出することができる。
【０１１９】
Xn = X1+(P0−P1)／仮傾きｎ    （９）
よって、第二中間電圧導出部３２ｇは、追加中間値X3を、X1+(P0−P1)／仮傾き３として導出できる。
【０１２０】
第三傾き相当値読出部（追加傾き相当値読出部）３２ｈは、追加中間値Xnに対応する、近似一次関数の傾き相当値である第ｎ傾き相当値を傾き相当値記録部３１から読み出す。ただし、図９においては、ｎ＝３とする。よって、第三傾き相当値読出部３２ｈは、追加中間値X3に対応する、近似一次関数の傾き相当値である第三傾き相当値を傾き相当値記録部３１から読み出す。
【０１２１】
図１０を参照して、追加中間値X3をとる制御信号を可変ゲイン減衰器２に与えたときの出力信号の電力はP3である。座標(X3, P3)においては、近似一次関数f3（座標(X3, P3)を通る）で、出力信号の電力Pを表す。よって、傾き相当値記録部３１には、追加中間値X3に対応づけて、近似一次関数f3の傾き（傾き３という）に相当する傾き相当値が記録されている。
【０１２２】
そこで、例えば、第三傾き相当値読出部３２ｈは、傾き３を、傾き相当値記録部３１から読み出す。
【０１２３】
修正傾き導出部３２ｄ４は、傾き１を第一傾き相当値読出部３２ａから受け、傾き２を第二傾き相当値読出部３２ｃから受け、傾き３を第三傾き相当値読出部３２ｈから受ける。さらに、修正傾き導出部３２ｄ４は、修正傾きを、傾き１と傾き２と傾き３の平均値として導出する。
【０１２４】
修正電圧導出部（修正値導出部）３２ｅ４は、修正近似関数が目標電力P0をとるときの制御信号の値を修正値Xfとして導出する。修正値Xfは、上述の式（４）を用いて、導出することができる。ただし、修正電圧導出部３２ｅ４は、修正傾きを、修正傾き導出部３２ｄ４から受ける。
【０１２５】
次に、第四の実施形態の動作を説明する。
【０１２６】
初期値X1をとる制御信号を可変ゲイン減衰器２に与えたときの出力制御システム１の動作は、第一の実施形態と同様であり、説明を省略する（図４参照）。
【０１２７】
初期値X1をとる制御信号を可変ゲイン減衰器２に与えると、可変ゲイン減衰器２の出力する出力信号の電力は初期電力P1となる。電力測定部４２は、Ａ／Ｄ変換器４からデジタル化された出力信号を受け、電力を測定し、初期電力P1を得る。測定結果（初期電力P1）は、修正値導出装置３０の修正電圧設定部３２に与えられる。
【０１２８】
しかも、初期電圧設定部２２からは初期値X1が、目標電力入力部１０からは目標電力P0が、修正電圧設定部３２に与えられる。
【０１２９】
初期値X1に基づき、第一傾き相当値読出部３２ａが傾き１を読み出し、第一中間電圧導出部３２ｂに与える。第一中間電圧導出部３２ｂが、目標電力P0、初期電力P1、傾き１、初期値X1に基づき、中間値X2を導出する（式（１）参照）。
【０１３０】
中間値X2に基づき、第二傾き相当値読出部３２ｃが傾き２を読み出す。
【０１３１】
平均部３２ｆは、傾き１と傾き２との平均（仮傾き３）をとる。
【０１３２】
第二中間電圧導出部３２ｇは、傾きが仮傾き３で、座標(X1, P1)を通る近似一次関数が、目標電力P0をとるときの制御信号の値である追加中間値X3を導出する（式（９）参照）。
【０１３３】
第三傾き相当値読出部３２ｈは、追加中間値X3に基づき、傾き３を読み出す。
【０１３４】
修正傾き導出部３２ｄ４は、修正傾きを、傾き１と傾き２と傾き３の平均値として導出する。
【０１３５】
修正電圧導出部３２ｅ４は、修正傾きを、修正傾き導出部３２ｄ４から受け、修正値Xfを、上述の式（４）を用いて、導出する。
【０１３６】
第四の実施形態によれば、第一の実施形態と同様な効果を奏する。
【０１３７】
第五の実施形態
第五の実施形態は、第一の実施形態に、平均部３２ｍ１、３２ｍ２、第二中間電圧導出部（追加中間値導出部）３２ｎ１、第三中間電圧導出部（追加中間値導出部）３２ｎ２、第三傾き相当値読出部（追加傾き相当値読出部）３２ｐ１、第四傾き相当値読出部（追加傾き相当値読出部）３２ｐ２が追加されたものである。
【０１３８】
図１１は、第五の実施形態にかかる修正電圧設定部３２の構成を示すブロック図である。修正電圧設定部３２は、第一傾き相当値読出部３２ａ、第一中間電圧導出部（中間値導出部）３２ｂ、第二傾き相当値読出部３２ｃ、修正傾き導出部３２ｄ５、修正電圧導出部（修正値導出部）３２ｅ５、平均部３２ｍ１、３２ｍ２、第二中間電圧導出部（追加中間値導出部）３２ｎ１、第三中間電圧導出部（追加中間値導出部）３２ｎ２、第三傾き相当値読出部（追加傾き相当値読出部）３２ｐ１、第四傾き相当値読出部（追加傾き相当値読出部）３２ｐ２を備える。
【０１３９】
傾き相当値記録部３１には、例えば、近似一次関数の傾きが記録されているものとする。
【０１４０】
第一傾き相当値読出部３２ａ、第一中間電圧導出部（中間値導出部）３２ｂ、第二傾き相当値読出部３２ｃは第一の実施形態と同様であり説明を省略する。
【０１４１】
第一の実施形態と同様に、傾き１は、第一傾き相当値に相当する傾きであり、傾き２は、第二傾き相当値に相当する傾きである。
【０１４２】
ここで、第ｎ傾き相当値に相当する傾きを傾きｎとする（ただし、ｎは３以上の任意の整数）。
【０１４３】
さらに、仮傾き３を傾き１と傾き２との平均値とする。仮傾きｍ−１と傾きｍ−１との平均値を仮傾きｍとする（ただし、ｍは４以上の任意の整数）。例えば、仮傾き３は、仮傾き２と傾き２との平均値である。仮傾き４は、仮傾き３と傾き３との平均値である。
【０１４４】
ここで、傾きが仮傾きｎであり、制御信号の値Xが初期値X1であるときの値が初期電力P1である近似一次関数が目標電力P0をとるときの制御信号の値を、追加中間値Xnとする。例えば、傾きが仮傾き３であり、座標(X1, P1)を通る近似一次関数が、目標電力P0となるX座標が、追加中間値X3である。傾きが仮傾き４であり、座標(X1, P1)を通る近似一次関数が、目標電力P0となるX座標が、追加中間値X4である。
【０１４５】
さらに、追加中間値Xnに対応する、近似一次関数の傾き相当値を、第ｎ傾き相当値という。例えば、追加中間値X3に対応する、近似一次関数の傾き相当値を、第三傾き相当値という。追加中間値X4に対応する、近似一次関数の傾き相当値を、第四傾き相当値という。
【０１４６】
第五の実施形態において用いる修正近似関数fの修正傾きは、仮傾きＮと傾きＮとに基づき導出される（ただし、Ｎは３以上の整数の定数）。修正傾きは、例えば、仮傾きＮと傾きＮとの平均値である。
【０１４７】
図１１には、仮傾き４および傾き４を用いて修正値Xfを導出する場合の修正電圧設定部３２の構成が図示されている。
【０１４８】
平均部３２ｍ１は、傾き１を第一傾き相当値読出部３２ａから受け、傾き２を第二傾き相当値読出部３２ｃから受け、傾き１と傾き２との平均をとる。上述のように、傾き１と傾き２との平均は、仮傾き３である。
【０１４９】
第二中間電圧導出部（追加中間値導出部）３２ｎ１は、傾きが仮傾きｎであり、制御信号の値Xが初期値X1であるときの値が初期電力P1である近似一次関数が目標電力P0をとるときの制御信号の値である追加中間値Xnを導出する。ただし、第二中間電圧導出部３２ｎ１においては、ｎ＝３とする。よって、第二中間電圧導出部３２ｎ１は、傾きが仮傾き３で、座標(X1, P1)を通る近似一次関数が、目標電力P0をとるときの制御信号の値である追加中間値X3を導出する。なお、第二中間電圧導出部３２ｎ１は、仮傾き３を平均部３２ｍ１から受け、目標電力P0を目標電力入力部１０から受け、初期電力P1を電力測定部４２から受け、初期値X1を初期電圧設定部２２から受ける。
【０１５０】
追加中間値Xnは、上述の式（９）を用いて、導出することができる。
【０１５１】
よって、第二中間電圧導出部３２ｎ１は、追加中間値X3を、X1+(P0−P1)／仮傾き３として導出できる。
【０１５２】
第三傾き相当値読出部（追加傾き相当値読出部）３２ｐ１は、追加中間値Xnに対応する、近似一次関数の傾き相当値である第ｎ傾き相当値を傾き相当値記録部３１から読み出す。ただし、第三傾き相当値読出部３２ｐ１においては、ｎ＝３とする。よって、第三傾き相当値読出部３２ｐ１は、追加中間値X3に対応する、近似一次関数（座標(X3,
P3)を通る：図１０参照）の傾き相当値である第三傾き相当値（例えば、傾き３）を傾き相当値記録部３１から読み出す。
【０１５３】
平均部３２ｍ２は、仮傾き３を平均部３２ｍ１から受け、傾き３を第三傾き相当値読出部３２ｐ１から受け、仮傾き３と傾き３との平均をとる。上述のように、仮傾き３と傾き３との平均は、仮傾き４である。
【０１５４】
第三中間電圧導出部（追加中間値導出部）３２ｎ２は、傾きが仮傾きｎであり、制御信号の値Xが初期値X1であるときの値が初期電力P1である近似一次関数が目標電力P0をとるときの制御信号の値である追加中間値Xnを導出する。ただし、第三中間電圧導出部３２ｎ２においては、ｎ＝４とする。よって、第三中間電圧導出部３２ｎ２は、傾きが仮傾き４で、座標(X1, P1)を通る近似一次関数が、目標電力P0をとるときの制御信号の値である追加中間値X4を導出する。なお、第三中間電圧導出部３２ｎ２は、仮傾き４を平均部３２ｍ２から受け、目標電力P0を目標電力入力部１０から受け、初期電力P1を電力測定部４２から受け、初期値X1を初期電圧設定部２２から受ける。
【０１５５】
追加中間値Xnは、上述の式（９）を用いて、導出することができる。
【０１５６】
よって、第三中間電圧導出部３２ｎ２は、追加中間値X4を、X1+(P0−P1)／仮傾き４として導出できる。
【０１５７】
第四傾き相当値読出部（追加傾き相当値読出部）３２ｐ２は、追加中間値Xnに対応する、近似一次関数の傾き相当値である第ｎ傾き相当値を傾き相当値記録部３１から読み出す。ただし、第四傾き相当値読出部３２ｐ２においては、ｎ＝４とする。よって、第四傾き相当値読出部３２ｐ２は、追加中間値X4に対応する、近似一次関数（座標(X4,
P4)を通る（ただし、P4は、追加中間値X4をとる制御信号を可変ゲイン減衰器２に与えたときの出力信号の電力である））の傾き相当値である第四傾き相当値（例えば、傾き４）を傾き相当値記録部３１から読み出す。
【０１５８】
修正傾き導出部３２ｄ５は、仮傾き４を平均部３２ｍ２から受け、傾き４を第四傾き相当値読出部３２ｐ２から受ける。さらに、修正傾き導出部３２ｄ５は、修正傾きを、仮傾き４と傾き４との平均値として導出する。
【０１５９】
修正電圧導出部（修正値導出部）３２ｅ５は、修正近似関数が目標電力P0をとるときの制御信号の値を修正値Xfとして導出する。修正値Xfは、上述の式（４）を用いて、導出することができる。ただし、修正電圧導出部３２ｅ５は、修正傾きを、修正傾き導出部３２ｄ５から受ける。
【０１６０】
次に、第五の実施形態の動作を説明する。
【０１６１】
初期値X1をとる制御信号を可変ゲイン減衰器２に与えたときの出力制御システム１の動作は、第一の実施形態と同様であり、説明を省略する（図４参照）。
【０１６２】
初期値X1をとる制御信号を可変ゲイン減衰器２に与えると、可変ゲイン減衰器２の出力する出力信号の電力は初期電力P1となる。電力測定部４２は、Ａ／Ｄ変換器４からデジタル化された出力信号を受け、電力を測定し、初期電力P1を得る。測定結果（初期電力P1）は、修正値導出装置３０の修正電圧設定部３２に与えられる。
【０１６３】
しかも、初期電圧設定部２２からは初期値X1が、目標電力入力部１０からは目標電力P0が、修正電圧設定部３２に与えられる。
【０１６４】
初期値X1に基づき、第一傾き相当値読出部３２ａが傾き１を読み出し、第一中間電圧導出部３２ｂに与える。第一中間電圧導出部３２ｂが、目標電力P0、初期電力P1、傾き１、初期値X1に基づき、中間値X2を導出する（式（１）参照）。
【０１６５】
中間値X2に基づき、第二傾き相当値読出部３２ｃが傾き２を読み出す。
【０１６６】
平均部３２ｍ１は、傾き１と傾き２との平均（仮傾き３）をとる。
【０１６７】
第二中間電圧導出部３２ｎ１は、傾きが仮傾き３で、座標(X1, P1)を通る近似一次関数が、目標電力P0をとるときの制御信号の値である追加中間値X3を導出する。
【０１６８】
第三傾き相当値読出部３２ｐ１は、追加中間値X3に基づき、傾き３を読み出す。
【０１６９】
平均部３２ｍ２は、仮傾き３と傾き３との平均（仮傾き４）をとる。
【０１７０】
第三中間電圧導出部３２ｎ２は、傾きが仮傾き４で、座標(X1, P1)を通る近似一次関数が、目標電力P0をとるときの制御信号の値である追加中間値X4を導出する。
【０１７１】
第四傾き相当値読出部３２ｐ２は、追加中間値X4に基づき、傾き４を読み出す。
【０１７２】
修正傾き導出部３２ｄ５は、修正傾きを、仮傾き４と傾き４との平均値として導出する。
【０１７３】
修正電圧導出部３２ｅ５は、修正傾きを、修正傾き導出部３２ｄ５から受け、修正値Xfを、上述の式（４）を用いて、導出する。
【０１７４】
第五の実施形態によれば、第一の実施形態と同様な効果を奏する。
【０１７５】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分（例えば、傾き相当値記録部３１および修正電圧設定部３２）を実現するプログラムを記録したメディアを読み取らせて、ハードディスクにインストールする。このような方法でも、上記の機能を実現できる。
【図面の簡単な説明】
【０１７６】
【図１】本発明の実施形態にかかる出力制御システム１の構成を示すブロック図である。
【図２】可変ゲイン減衰器２に所定の電力の入力信号を与えたときの電力特性Fを示すグラフである。
【図３】第一の実施形態にかかる修正電圧設定部３２の構成を示すブロック図である。
【図４】初期値X1をとる制御信号を可変ゲイン減衰器２に与えたときの出力制御システム１の動作を説明するための図である。
【図５】修正値Xfの導出時の出力制御システム１の動作を説明するための図である。
【図６】第二の実施形態にかかる修正電圧設定部３２の構成を示すブロック図である。
【図７】第三の実施形態にかかる修正電圧設定部３２の構成を示すブロック図である。
【図８】二次関数である修正近似関数fを示すグラフである。
【図９】第四の実施形態にかかる修正電圧設定部３２の構成を示すブロック図である。
【図１０】第四の実施形態において用いる修正近似関数fを示すグラフである。
【図１１】第五の実施形態にかかる修正電圧設定部３２の構成を示すブロック図である。
【符号の説明】
【０１７７】
X  制御信号の値（電圧）
X1  初期値
X2  中間値
X3、X4  追加中間値
Xf  修正値
P  出力信号の電力
P0  目標電力
P1  初期電力
P2、P3、P4  電力
Pf  電力
f1、f2、f3  近似一次関数
f  修正近似関数
１  出力制御システム
２  可変ゲイン減衰器（振幅変化器）
４  Ａ／Ｄ変換器
６  Ｄ／Ａ変換器
１０  目標電力入力部
１１  スイッチ
２１  初期値記録部
２２  初期電圧設定部
３０  修正値導出装置
４２  電力測定部
３１  傾き相当値記録部
３２  修正電圧設定部
３２ａ  第一傾き相当値読出部
３２ｂ  第一中間電圧導出部（中間値導出部）
３２ｃ  第二傾き相当値読出部
３２ｄ１、３２ｄ２、３２ｄ４、３２ｄ５  修正傾き導出部
３２ｅ１、３２ｅ２、３２ｅ３、３２ｅ４、３２ｅ５  修正電圧導出部（修正値導出部）
３２ｔ  修正近似関数導出部
３２ｆ  平均部
３２ｇ  第二中間電圧導出部（追加中間値導出部）
３２ｈ  第三傾き相当値読出部（追加傾き相当値読出部）
３２ｍ１、３２ｍ２  平均部
３２ｎ１  第二中間電圧導出部（追加中間値導出部）
３２ｎ２  第三中間電圧導出部（追加中間値導出部）
３２ｐ１  第三傾き相当値読出部（追加傾き相当値読出部）
３２ｐ２  第四傾き相当値読出部（追加傾き相当値読出部）
【図１】
0004922985.tif 000002
【図２】
0004922985.tif 000003
【図３】
0004922985.tif 000004
【図４】
0004922985.tif 000005
【図５】
0004922985.tif 000006
【図６】
0004922985.tif 000007
【図７】
0004922985.tif 000008
【図８】
0004922985.tif 000009
【図９】
0004922985.tif 000010
【図１０】
0004922985.tif 000011
【図１１】
0004922985.tif 000012